(57)【要約】【課題】補聴器や集音装置の種類に拘わらず、環境騒音下においても、補聴器や集音装置の利用者が明瞭に音声を聴き取ることができるスピーカシステム及びこれに用いるパラメトリックスピーカを提供する。【解決手段】入力した目的音声から超指向性を有する放射音声を生成して放射するパラメトリックスピーカ１を用い、この放射音声の音声放射口の向きを調節するチルト機構１ｂや回転機構１ｃによって目的音声の伝達対象となる補聴器（集音装置）８へ当該目的音声の放射音声を放射する。【選択図】図１
2009284060.tif 000002
【特許請求の範囲】
【請求項１】
入力した目的音声から超指向性を有する放射音声を生成して放射するパラメトリックスピーカと、
放射音声を集音して音声を再生し出力する集音装置と、
前記目的音声の伝達対象となる集音装置へ当該目的音声の放射音声が放射されるように前記パラメトリックスピーカの音声放射口の向きを調節する調節機構とを備えたスピーカシステム。
【請求項２】
入力した目的音声から超指向性を有する放射音声を生成して放射するパラメトリックスピーカにおいて、
前記放射音声の音声放射口の向きを調節する調節機構を備え、
前記調節機構で音声放射口の向きを調節することにより、前記目的音声の伝達対象となる集音装置へ向けて当該目的音声の放射音声を放射することを特徴とするパラメトリックスピーカ。
【発明の詳細な説明】
【技術分野】
【０００１】
この発明は、パラメトリックスピーカにより音声放送することにより、環境騒音下でも補聴器又は音声集音装置（以下、集音装置と呼ぶ）が明瞭に音声信号を集音できるスピーカシステム及びこれに用いるパラメトリックスピーカに関するものである。
【背景技術】
【０００２】
例えば、特許文献１に開示される補聴装置は、外部音に応じた電気信号を出力する外部音検出部、この外部音検出部の出力信号を処理する信号処理部、この信号処理部の出力信号を音響信号に変換する出力部を備える。信号処理部は、外部音検出部が出力する電気信号から外部音に含まれる騒音の定常度を所定の時間間隔で検出する定常度検出手段、外部音検出部の出力信号を圧縮増幅する入出力特性処理部、及び補聴装置の利用者に適合した圧縮増幅特性パラメータを記憶した入出力特性テーブルを備える。この構成において、定常度検出手段が出力する定常度に対応する圧縮増幅特性パラメータに基づいて、入出力特性を決定する。これにより、環境騒音の質のいかんに拘わらず、補聴装置の利用者が、聴き取り対象となる音声を明瞭に聴き取ることができる。
【０００３】
【特許文献１】特開２００１−１２８２９６号公報
【発明の開示】
【発明が解決しようとする課題】
【０００４】
従来の技術では、上述のように補聴装置の利用者が、環境騒音の質のいかんに拘わらず聴き取り対象となる音声を明瞭に聴き取ることができる。しかしながら、実際の環境下で使用される補聴装置は、補聴装置の利用者が聴き取るべき音声と、本来なら聴き取る必要のない周囲の騒音レベルの周波数帯域やレベルの音声とが重なる場合があり、音声と騒音の分離が困難で聴き取りにくいものとなっていた。
【０００５】
また、実際には補聴器にも多数の種類があり、特許文献１の発明を適用したものばかりでなく、補聴器の個体差による集音性能のばらつきを抑えることはできない。
【０００６】
この発明は、上記のような課題を解決するためになされたもので、補聴器や集音装置の種類に拘わらず、環境騒音下においても、補聴器や集音装置の利用者が明瞭に音声を聴き取ることができるスピーカシステム及びこれに用いるパラメトリックスピーカを得ることを目的とする。
【課題を解決するための手段】
【０００７】
この発明に係るスピーカシステムは、入力した目的音声から超指向性を有する放射音声を生成して放射するパラメトリックスピーカと、放射音声を集音して音声を再生し出力する集音装置と、前記目的音声の伝達対象となる集音装置へ当該目的音声の放射音声が放射されるように前記パラメトリックスピーカの音声放射口の向きを調節する調節機構とを備えるものである。
【発明の効果】
【０００８】
この発明によれば、入力した目的音声から超指向性を有する放射音声を生成して放射するパラメトリックスピーカを用い、この放射音声の音声放射口の向きを調節する調節機構によって目的音声の伝達対象となる集音装置へ当該目的音声の放射音声を放射するので、補聴器や集音装置の種類に拘わらず、環境騒音下においても、補聴器や集音装置の利用者が明瞭に音声を聴き取ることができるという効果がある。
【発明を実施するための最良の形態】
【０００９】
実施の形態１．
図１は、この発明の実施の形態１によるスピーカシステムの適用例を示す図であり、壇上の講師の声を補聴器の利用者を含む視聴者に伝える場合を示している。図１において、パラメトリックスピーカ１は、その音声放射口を天井面の法線に対して傾けるチルト機構（調節機構）１ｂ及び音声放射口を天井面に平行に首振り自在な回転機構（調節機構）１ｃを介して天井面に取り付けられる。
【００１０】
パラメトリックスピーカ１は、上記チルト機構や上記回転機構を用いて音声放射口の位置を調節することにより、図１に示すように、放射音声１ａが補聴器８の利用者７へ放射されるように設定される。講師４は、講義を行うにあたり、音声をワイヤレスマイク５に入力する。ワイヤレスマイク５に入力された講師４の音声は、無線信号として受信機３に受信され、変調器２によって変調された後、ケーブルを介してパラメトリックスピーカ１へ送信される。
【００１１】
図１の例では、補聴器８の利用者７のみならず、聴覚健常者６も講義の聴講生として、補聴器８の利用者７の周りに着席している。本発明のシステムを利用しない場合、聴覚健常者６が会話を行ったり、周辺の環境音などがあると、補聴器８には、講師４の声、聴覚健常者６の声、及び周辺の環境音が同時に集音されてしまい、利用者７が講師４の声を聴き取りにくくなる。
【００１２】
図２は、図１中のスピーカシステムの構成を示すブロック図である。図２において、補聴器（集音装置）８は、パラメトリックスピーカ１からの放射音声１ａを集音する装置であり、図１中の補聴器に相当する。ここで、補聴器（集音装置）８は、集音マイク８ａ、音声処理部８ｂ及び増幅部８ｃを備える。パラメトリックスピーカ１から放射された講師４の音声に関する放射音声１ａは、補聴器（集音装置）８の集音マイク８ａに集音される。
【００１３】
本発明のシステムを利用しない場合、集音マイク８ａで講師４の声、聴覚健常者６の声、及び周辺の環境音を受信すると、音声処理部８ｂで復調された後、増幅部８ｃにおいて同じゲインで増幅されて出力されるため、講師４の声、聴覚健常者６の声及び周辺の環境音が同じ強度で利用者７の耳へ出力される。このため、利用者７が講師４の声を聴き取りにくくなる。
【００１４】
これに対して、本発明では、パラメトリックスピーカ１からの放射音声１ａが聴覚健常者６の声や周辺の環境音に比べ格段に強く集音マイク８ａへ伝わる。これは、パラメトリックスピーカ１において、講師４の可聴音を超音波で変調し、音声放射口から指向性の高い放射音声１ａとして補聴器８の利用者７へ放射したことによる。
【００１５】
補聴器（集音装置）８では、集音マイク８ａで放射音声１ａを受信すると、音声処理部８ｂで復調された後、増幅部８ｃで増幅される。このとき、パラメトリックスピーカ１からの放射音声１ａが聴覚健常者６の声や周辺の環境音に比べ格段に強いため、ほぼ放射音声１ａのみ、つまり講師４の声のみが出力音声として出力される。これにより、利用者７は、講師４の声を容易に聴き取ることが可能である。
【００１６】
以上のように、この実施の形態１によれば、入力した目的音声から超指向性を有する放射音声を生成して放射するパラメトリックスピーカ１を用い、この放射音声の音声放射口の向きを調節するチルト機構１ｂや回転機構１ｃによって目的音声の伝達対象となる補聴器（集音装置）８へ当該目的音声の放射音声を放射するので、周囲の騒音の強度レベルを上回るレベルの目的音声を集音マイク８ａに集音させることが可能である。これにより、補聴器（集音装置）８は、目的音声と騒音とを分離して目的音声を容易に検出することができる。従って、補聴器（集音装置）８の種類に依らず、利用者７は、環境騒音下であっても、目的音声を容易に聞き取ることができる。
【００１７】
なお、上記実施の形態１では、講師４の声をワイヤレスマイク５で集音する場合を示したが、有線マイクやマイクアンプなどを組み合わせたシステムであっても、同様の効果を得ることができる。また、実施の形態１によるスピーカシステムは、聴覚健常者が単に音声の聞き取りやすさを向上させることを目的とするものであっても構わない。
【００１８】
さらに、上記実施の形態１では、講義のマイク音声を局所的に拡声する例を示したが、音声再生装置の放射音声を扱うシステムであってもよい。
【図面の簡単な説明】
【００１９】
【図１】この発明の実施の形態１によるスピーカシステムの適用例を示す図である。
【図２】図１中のスピーカシステムの構成を示すブロック図である。
【符号の説明】
【００２０】
１  パラメトリックスピーカ、１ｂ  チルト機構（調節機構）、１ｃ  回転機構（調節機構）、２  変調器、３  受信機、４  講師、５  ワイヤレスマイク、６  聴覚健常者、７  利用者、８  補聴器（集音装置）、８ａ  集音マイク、８ｂ  音声処理部、８ｃ  増幅部。
【図１】
2009284060.tif 000003
【図２】
2009284060.tif 000004